(57)【要約】【課題】利用者に料理情報及びそれに必要な商品情報を特売情報と関連させて提供する買物情報提供システムを提供する。【解決手段】利用者のＩＤと利用者の家族情報とを対応させて記憶している顧客データベースと、料理項目と、その料理のために必要な材料の種類、その必要量とを対応させて記憶している料理データベースと、提供元と、特売商品と価格とを関連付けて記憶している特売情報データベースとを備え、利用者からの要求に応じて、購入すべき商品情報を、特売情報と絡めて提供し、在庫情報データベースより利用者の常備品のチェックを行い、不足している常備品を加えて御買物リストを作成し、提供する買い物情報提供サーバ。【選択図】　図１
2004005654.tif 000002
【特許請求の範囲】
【請求項１】
買い物情報を提供するサーバであって、
入力されたパスワードつきＩＤを受け取り利用者の認証を可能にし、利用者のＩＤと利用者の家族情報とを対応させて記憶している顧客データベースと、
料理項目と、その料理のために必要な材料の種類、その必要量とを対応させて記憶している料理データベースと、
利用者からの入力に応じて、前記顧客データベースを用いて利用者を認証し、認証された利用者の家族構成情報を記憶する第１記憶手段と、
利用者からの料理選択情報を受け取り、選択された料理から、その料理のために必要な商品の種類、その必要量を記憶する第２記憶手段と、
前記第１記憶手段に記憶された家族構成情報と前記第２記憶手段に記憶された商品の種類、その必要量とから、選択された料理に必要な家族全体で必要な全体必要量を算出する算出手段と、
前記算出手段により算出された商品、算出必要量を記憶する情報提供手段と、
提供元と、特売商品と価格とを関連付けて記憶している特売情報データベースと、
前記情報提供手段に記憶されている商品と前記特売情報データベースに記憶されている商品群とを比較し、一致するものがある場合には、一致している商品に符号を付し、また、特売情報データベース内の特売情報であって、認定された利用者によって選択された特売情報をその提供元と関連付けて前記情報提供手段に記憶させ、
前記認証された利用者の要求に応じて、前記情報提供手段に記憶されている情報を、前記認証された利用者に提供する買い物情報提供サーバ。
【請求項２】
クライアント装置と、買い物情報を提供するサーバ装置とより構成される買物情報提供システムであって、
利用者のＩＤと利用者の家族情報とを対応させて記憶している顧客データベースと、
料理項目と、その料理のために必要な材料の種類、その必要量とを対応させて記憶している料理データベースと、
利用者からの入力に応じて、前記顧客データベースを用いて利用者を認証し、認証された利用者の家族構成情報を記憶する第１記憶手段と、
利用者からの料理選択情報を受け取り、選択された料理から、その料理のために必要な商品の種類、その必要量を記憶する第２記憶手段と、
前記第１記憶手段に記憶された家族構成情報と前記第２記憶手段に記憶された商品の種類、その必要量とから、選択された料理に必要な家族全体で必要な全体必要量を算出する算出手段と、
前記算出手段により算出された商品、算出必要量を記憶する情報提供手段と、
提供元と、特売商品と価格とを関連付けて記憶している特売情報データベースと、
前記情報提供手段に記憶されている商品と前記特売情報データベースに記憶されている商品群とを比較し、一致するものがある場合には、一致している商品に符号を付し、また、特売情報データベース内の特売情報であって、認定された利用者によって選択された特売情報をその提供元と関連付けて前記情報提供手段に記憶させ、
前記認証された利用者の要求に応じて、前記情報提供手段に記憶されている情報を、クライアント装置へ提供する買い物情報提供クライアント・サーバシステム。
【請求項３】
買い物情報を提供する方法であって、
入力されたパスワードつきＩＤを受け取り、利用者の認証を可能にし、利用者のＩＤと利用者の家族情報とを対応させて記憶している顧客データベースを利用して、利用者を認証し、認証された利用者の家族情報を選択して記憶する工程と、
料理項目と、その料理のために必要な材料の種類、その必要量とを対応させて記憶している料理データベースを利用し、利用者に選択された料理のために必要な材料の種類、その必要量を記憶する工程と、
記憶された家族構成情報と記憶された材料の種類、その必要量とから、選択された料理に必要な家族全体で必要な全体必要量を算出する算出工程と、
供給元からの特売商品と価格とを含む特売情報を、供給元と関連付けて記憶する工程と、
前記算出工程で得られた材料と、前記特売情報データベースに記憶されている商品群とを比較し、一致するものがある場合には、一致している特売商品の特売情報を、算出工程で算出した情報と共に、前記認証された利用者に提供する工程とを備えた買い物情報提供方法。
【請求項４】
請求項１に記載の買い物情報提供サーバにおいて、更に、利用者ＩＤと関連付けられた在庫情報を記憶している在庫情報データベースを備え、在庫情報データベース内の在庫不足情報を前記認証された利用者に提供する買物情報提供サーバ。
【請求項５】
請求項２記載の買い物情報提供クライアント・サーバシステムにおいて、更に、利用者ＩＤと関連付けられた在庫情報を記憶している在庫情報データベースを備え、在庫情報データベース内の在庫内情報を前記認証された利用者に提供することを特徴とする買い物情報提供クライアント・サーバシステム。
【発明の詳細な説明】
【０００１】
【発明の属する技術分野】
本発明は、買い物情報を提供するシステムに関し、更に詳細には、利用者の情報に基づいて、選択した料理に必要な材料の内容、量を算出して、特売情報と比較し、特売品に関する情報を加味して、購入すべき商品に関する情報を利用者に提供するシステムに関する技術である。
【０００２】
【従来の技術】
現在、インターネット上には利用者に対して種々の情報を提供するウエブサイトが存在する。特に、商品の種類及びこれに対応した価格情報を提供して、利用者の購買を促すものがある。
【０００３】
しかし、現在、インターネット上に存在するウエブサイトでは、利用者の家族情報、在庫情報を加味して、所望の料理に必要な過不足のない材料の種類、量の購入に関しての情報を提供できるウエブサイトは存在していなかった。そのため、利用者は、まず、料理の本等より、所望の料理に関する必要な材料の種類を案出し、家族構成に基づいての必要量と在庫量とに基づいて、購入しなければいけない量を計算し、まとめたり、各スーパーマーケットからの特売情報をチラシの上で個々に検討し、必要なもの、特売のものを書き出し、購入しなければならない食料品等の情報を得ていた。このように利用者は、まず、自分で所望の料理に必要な材料、その材料の量的な情報、更にそれらに必要な商品の必要量を計算しなければならず不便であった。また、それらの商品が果たしてスーパーマーケット等の特売品であるかをスーパーマーケットのそれぞれのチラシから探し、自宅での在庫の有無及び在庫量を常に、把握している必要があり、日々の食事を家族のために準備している利用者にとっては、日々の料理の選択、買い物が頭痛の種であった。
【０００４】
【発明が解決しようとする課題】
そこで、本発明は、上記の問題点を解決し、利用者に適切な買い物情報を提供する買い物情報提供システムを提供することを目的とする。
【０００５】
【課題を解決するための手段】
上記目的を達成するために、本発明は、入力されたパスワードつきＩＤを受け取り利用者の認証を可能にし、利用者のＩＤと利用者の家族情報とを対応させて記憶している顧客情報データベースと、料理項目と、その料理のために必要な材料の種類、その必要量とを対応させて記憶している料理データベースと、利用者からの入力に応じて、前記顧客データベースを用いて利用者を認証し、認証された利用者の家族構成情報を記憶する第１記憶手段と、利用者からの料理選択情報を受け取り、選択された料理から、その料理のために必要な商品の種類、その必要量を記憶する第２記憶手段と、前記第１記憶手段に記憶された家族構成情報と前記第２記憶手段に記憶された商品の種類、その必要量とから、選択された料理に必要な家族全体で必要な全体必要量を算出する算出手段と、前記算出手段により算出された商品、算出必要量を記憶する情報提供手段と、提供元と、特売商品と価格とを関連付けて記憶している特売情報データベースと、前記情報提供手段に記憶されている商品と前記特売情報データベースに記憶されている商品群とを比較し、一致するものがある場合には、一致している商品に符号を付し、また、特売情報データベース内の特売情報であって、認定された利用者によって選択された特売情報をその提供元と関連付けて前記情報提供手段に記憶させ、前記認証された利用者の要求に応じて、前記情報提供手段に記憶されている情報を、前記認証された利用者に提供する買い物情報提供サーバ。を提供することを目的とする。
【０００６】
更に、本発明は、相互の通信手段により接続された買い物情報提供サーバ・クライアントシステムであって、利用者のＩＤと利用者の家族情報とを対応させて記憶している顧客データベースと、料理項目と、その料理のために必要な材料の種類、その必要量とを対応させて記憶している料理データベースと、利用者からの入力に応じて、前記顧客データベースを用いて利用者を認証し、認証された利用者の家族構成情報を記憶する第１記憶手段と、利用者からの料理選択情報を受け取り、選択された料理から、その料理のために必要な商品の種類、その必要量を記憶する第２記憶手段と、前記第１記憶手段に記憶された家族構成情報と前記第２記憶手段に記憶された商品の種類、その必要量とから、選択された料理に必要な家族全体で必要な全体必要量を算出する算出手段と、前記算出手段により算出された商品、算出必要量を記憶する情報提供手段と、提供元と、特売商品と価格とを関連付けて記憶している特売情報データベースと、前記情報提供手段に記憶されている商品と前記特売情報データベースに記憶されている商品群とを比較し、一致するものがある場合には、一致している商品に符号を付し、また、特売情報データベース内の特売情報であって、認定された利用者によって選択された特売情報をその提供元と関連付けて前記情報提供手段に記憶させ、前記認証された利用者の要求に応じて、前記情報提供手段に記憶されている情報を、クライアント装置へ提供する買い物情報提供クライアント・サーバシステム。を提供することを目的とする。
【０００７】
更に本発明は、入力されたパスワードつきＩＤを受け取り、利用者の認証を可能にし、利用者のＩＤと利用者の家族情報とを対応させて記憶している顧客データベースを利用して、利用者を認証し、認証された利用者の家族情報を選択して記憶する工程と、料理項目と、その料理のために必要な材料の種類、その必要量とを対応させて記憶している料理データベースを利用し、利用者に選択された料理のために必要な材料の種類、その必要量を記憶する工程と、記憶された家族構成情報と記憶された材料の種類、その必要量とから、選択された料理に必要な家族全体で必要な全体必要量を算出し記憶する算出記憶工程と、供給元からの特売商品と価格とを含む特売情報を、供給元と関連付けて記憶する工程と、前記算出記憶工程で得られた材料と、前記特売情報データベースに記憶されている商品群とを比較し、一致するものがある場合には、一致している特売商品の特売情報を、前記算出記憶工程で記憶された情報と共に、前記認証された利用者に提供する工程とを備えた買い物情報提供方法を提供することを目的とする。
【０００８】
以上のように、本発明の買い物情報を提供するサーバ、クライアント、これらのシステム及び買い物情報を提供する方法では、家族情報に基づいて選択された料理に関する全体必要量を自動的に算出するとともに、更に特売品情報と比較し、その料理に使用される材料が特売品としてあるかどうかを利用者に知らせ、料理の決定及び利用者の購入すべき商品の選択を促進補助することができる。
【０００９】
【発明の実施の形態】
以下、図面を参照して本発明の買い物情報提供システムの一実施例を説明する。図１は本発明の一実施例の構成を示すブロック図である。
【００１０】
図１に示すように、本発明に従う実施例の買い物情報提供システムでは、クライアント装置１０１、１０２と、特売情報を提供する提供元２０１，２０２、例えばスーパーマーケット等と、買い物情報提供サーバ３０１とより構成され、これらの装置は、インターネット４０１により接続され、互いに情報のやり取りをできるように構成されている。
【００１１】
買い物情報提供サーバ３０１には、利用者のＩＤ、パスワード、家族構成情報を、利用者のＩＤに関連付けて記憶している顧客情報データベース３０２、料理項目と、その料理を作る上で必要な材料の種類、必要量を、料理項目に関連付けて記憶している料理データベース３０３と、提供元２０１，２０２より入力される特売品、この特売品の価格、更に提供元情報とを、特売品又は提供元情報に関連付けて記憶している特売品情報データベース３０４と、利用者のＩＤに関連付けて、利用者の在庫情報を記憶している在庫情報データベース３０５と、これらのデータベースの情報から抽出された情報を演算する演算装置３０６が設けられ、データバス３０７を介して互いに通信可能に接続されている。そして、データバス３０７には、利用者に提供する情報を一時的に記憶している提供手段３０８が接続されている。
【００１２】
顧客情報データベース３０２及び在庫情報データベース３０５には、サーバへの外部からに要求に応じて、入力された利用者のＩＤに関連付けられた情報を一時的に記憶しておく記憶手段３０２ａ、３０５ａがそれぞれ設けられており、また料理データベース３０３では、入力された料理選択情報に基づいて、選択された料理の材料、必要量を一時的に記憶しておく記憶手段３０３ａが接続されている。
【００１３】
顧客情報データベース３０２、料理データベース３０３、特売品情報データベース３０４、在庫情報データベース３０５に記憶されている情報は、図２に示す構成となっている。
【００１４】
図２（ａ）に示すように、顧客情報データベース３０２は、利用者ＩＤ、パスワード、家族の総人数、特徴、例えば、減塩食とか、中低カロリーとかの情報が、利用者ＩＤをキーとして記憶されている。
【００１５】
また、料理データベース３０３は、図２（ｂ）に示すように、料理名、一人当たり必要な材料名、それぞれの材料の必要量、その料理を作るためのレシピ、及びその料理のカロリーを、料理名をキーとして記憶している。この料理データベース３０３は、外部からの操作により、随時更新可能であり、季節に促した内容となるように更新できる。
【００１６】
更に特売品情報データベース３０４は、図２（Ｃ）に示すように、提供元、特売品、特売品価格、更に、特記事項、例えば、季節物の紹介、宣伝文句が、提供元及び特売品をそれぞれキーとして検索可能なように記憶されており、この内容は、提供元２０１、２０２、例えばスーパーマーケット等からのアクセスにより更新され、最新の情報が記憶されるように構成されている。
【００１７】
更に、在庫情報データベース３０５は、利用者ＩＤをキーにして、その利用者の家庭内の常備品、例えば、醤油、塩、みそ、等の調味料等の有無を記憶している。
【００１８】
これらの顧客情報データベース３０２、料理データベース３０３、特売品情報データベース３０４、在庫情報データベース３０５を用いて、買物情報提供サーバに、インターネットを介してアクセスしてきた利用者のＩＤをキーにして、利用者に情報の入力を促すと共に、入力されたデータの基づいて、選定した料理を作るのに必要な商品のリスト及びそれらの商品の購入すべき量、更に、選定した料理のレシピ、更に、特売品情報、特に選択した料理に必要な材料（商品）が特売となっているかを特定して、また、更に利用者の在庫しておくべき常備品の購入の必要性を利用者に提供する。
【００１９】
図３に、上記買物情報提供システム、特に買物情報提供サーバの動作のフローチャートを示す。
【００２０】
図３に示すように、まず、利用者Ａが、クライアント装置１０１又は１０２を使用して、インターネットを介して買物情報提供サーバへのアクセスがあるとすると、顧客情報データベース３０２にアクセスし、既に登録された利用者であるかどうかを調べ、既に登録された利用者である場合には、顧客情報データベース３０２より、そこに記憶されている家族構成情報、例えば、総人数、特記事項、すなわち、高血圧用の料理が好ましいかどうかを、一時記憶手段３０２ａに記憶させる。一方、未登録者であれば、登録を促し、同意したときは、所定の事項、例えば、図２（ａ）に示すような家族構成情報の入力を促す。そして、これらの家族構成情報の入力の完了及び利用者の登録の意志確認が入力されると、利用者ＩＤ及びパスワードを発行する。そして次回より、その利用者ＩＤとパスワードを用いて入力された場合には、既登録者として以下の処理を行っていく。
【００２１】
そして、既登録者として認定された利用者１０１ａ、そのＩＤ―Ａで特定された家族情報及び特売情報データベース３０４に記憶された情報及び料理データベース３０３に記憶された情報を用いて、選択可能の料理のリストを利用者に提示し、そのいずれを選択するかの選択を促す。この選択の促しに応じて、認定された利用者１０１ａは、料理、例えば「牛もものたたきと千切り野菜のハーブソース」を選択する。買物情報提供サーバ３０１は、利用者１０１ａからの選択指示の基づいて、料理データベース３０３にアクセスし、「牛もものたたきと千切り野菜のハーブソース」料理を作るのに必要な商品「牛もも肉、レタス、にんじん、きゅうり」及びその商品の量「１００ｇ、０，２５枚、０，０２個、０．２５本」を、一時的に第２記憶手段３０３ａに記憶する。次に第１記憶手段３０２ａに先の記憶されている家族情報から作るべき料理の人数「５人」を取り出し、その人数「５人」と、第２記憶手段３０３ａに記憶されている必要な商品の量「牛もも肉：１００ｇ、レタス：０．２５枚、にんじん：０．０２個、きゅうり：０．２５本」とを演算手段３０６で積算する（牛もも肉：５００ｇ、レタス：１．２５枚、にんじん：０．１個、きゅうり：１．２５本）。そして、必要な商品及びこの商品毎に積算された結果（牛もも肉：５００ｇ、レタス：１．２５枚、にんじん：０．１個、きゅうり：１．２５本）を情報提供手段３０８に記憶させる。次に、情報提供手段に記憶された料理に必要な商品「牛もも肉等」と、特売品情報データベースに記憶された特売品情報「ぎゅ牛もも肉、厚揚げ、醤油」とを比較し、情報提供手段３０８に記憶された商品、ここでは、牛もも肉、に相当する特売品（牛もも肉）があるかどうかを調査して、相当する特売品がある場合には、上記例では、牛もも肉、その記憶された商品に特売品であることを示す符号を付し、情報提供の際、利用者１０１ａの注意を促す。
【００２２】
一方、上記処理の際、在庫情報データベース３０５から、認定された利用者１０１ａ（ＩＤ―Ａ）の在庫情報をチェックし、在庫がなくなっている常備品、この実施例では塩、を提供手段に記憶させる。この在庫情報のチェックは、自動で検知するように、すなわち、在庫されている常備品の存在を、自動的にチェックするようにしても、また、利用者が、目で確認し、手入力するようにしてもよい。また、在庫がないと判断された常備品は、特売情報データベース３０４内の特売品と比較され、もし一致しているものが有れば、提供手段３０８に一致している旨の特徴づけをされて記憶され、購入すべき商品と特に特徴づけられて、情報提供される。
【００２３】
更に、特売品情報データベース３０４に記憶された特売品情報、本実施例では、「厚揚げ、生姜、牛もも肉、レタス、にんじん、きゅうり」は、認定された利用者１０１ａに選択を促すために通知され、この通知に応じて、利用者により選択された特売品情報も提供手段３０８に記憶される。
【００２４】
そして、認証された利用者１０１ａの要求に応じて、提供手段３０８に記憶された情報、すなわち料理名「牛もも肉のたたきと千切り野菜のハーブソース」、料理に必要な商品「牛もも肉、レタス、にんじん、きゅうり」その必要量「５００ｇ、１．２５枚、０．１個、１．２５枚」、選択された特売情報（提供先、価格、商品名を含む）、更に購入すべき常備品の情報「塩」を、認証された利用者１０１ａに提供する。この提供に際して、料理に必要な商品「牛もも肉」であって特売品「牛もも肉」となっている商品を特徴付けて提示する事ができるため、特売品としての購入を可能にし、更に料理選択に際しても有効に利用できる。
【００２５】
【発明の効果】
本発明の買い物情報を提供するサーバ、クライアント、これらのシステム及び買い物情報を提供する方法では、家族情報に基づいて選択された料理に関する全体必要量を自動的に算出するとともに、更に在庫情報とも比較し、利用者の購入を必要とする商品を利用者に提供し、利用者の利便性を高めることができる。
【図面の簡単な説明】
【図１】本発明に従う実施例の概略構成を示す構成図である。
【図２】本発明に従う実施例の買い物情報提供サーバ内の顧客情報データベース３０２、料理データベース３０３、商品価格データベース３０４、在庫情報データベース３０５のデータ構造を示す図である。
【図３】本発明に従う実施例での処理方法を示すフローチャート図である。
【符号の説明】
１０１　　　　　クライアント装置
２０１，２０２提供元
３０１　　　　　　情報提供サーバ
４０１　　　　　　インターネット
３０２　　　　　　顧客情報データベース
３０３　　　　　　料理データベース
３０４　　　　　　特売品情報データベース
３０５　　　　　　在庫情報データベース
３０６　　　　　　演算装置
３０７　　　　　　データバス
【図１】
2004005654.tif 000003
【図２】
2004005654.tif 000004
【図３】
2004005654.tif 000005